(57)【要約】      （修正有）【課題】ポケットを備えたテーブルクロスにおいて、ポケットの中身を安全に保管でき、かつ容易に移動させることができるようにする。【解決手段】テーブルクロス１は、本体２と、バンドと、札入れ４と、で構成されている。本体２は、布やビニール等のシート状の材料で、平面視略矩形状に形成されており、被覆部２１と、第１垂下部２２と、第２垂下部２３と、からなる。被覆部２１は、設置時に机Ｄの天板Ｔの上に載せられる部位である。被覆部２１の、第１垂下部２２と第２垂下部２３とを結ぶ方向の長さは、標準的な長机の奥行きと同程度とする。第１垂下部２２は、設置時に天板の一端から垂下する部位である。第２垂下部２３は、設置時に天板の他端から垂下する部位であり、札入れ係止部２４と、第１収納部２５と、第２収納部２６と、からなる。【選択図】図１
0003205334.tif 000002
【実用新案登録請求の範囲】
【請求項１】
机やテーブルの天板に被せられるテーブルクロスであって、
前記天板に被せられたときに前記天板の端から垂下する部位の少なくとも一部分が、当該一部分以外の他の部分に対し着脱可能に構成されており、
前記一部分にポケットが設けられていることを特徴とするテーブルクロス。
【請求項２】
前記一部分は、
前記机やテーブルに被せた時に外側を向く外面に前記ポケットが設けられ、
前記外面の一側部に第１係合部を有するとともに、前記外面の他側部に前記第１係合部と係合可能な第２被係合部を有し、
前記他の部分は、
前記机やテーブルに被せた時に前記机やテーブルの側を向く内面の、前記一部分が取り付けられたときに前記第１係合部と対向する箇所に、前記第１係合部と係合可能な第１被係合部を有するとともに、前記内面の、前記一部分が取り付けられたときに前記第２被係合部と対向する箇所に、前記第２被係合部と係合可能な第２係合部を有していることを特徴とする請求項１に記載のテーブルクロス。
【請求項３】
前記一部分は、
前記ポケットの上方であって、前記一部分の中心を前記ポケットの開口の延設方向と直交する方向に通る直線の一側方に第３係合部を有し、
前記ポケットの上方であって前記直線の他側方に、前記第３係合部と係合可能な第３被係合部を有することを特徴とする請求項１または２に記載のテーブルクロス。
【請求項４】
前記第３係合部は、帯状の面ファスナーを構成するフック面およびループ面のうち一方の面が、ポケットの開口に沿って延設されたものであり、
前記第３被係合部は、前記面ファスナーを構成するフック面およびループ面のうち他方の面が、前記直線に関して前記一方の面と線対称の関係となるように設けられたものであることを特徴とする請求項３に記載のテーブルクロス。
【請求項５】
前記天板に載せられる部位の内面側一端部に、帯状をなし、一端部に面ファスナーのフック面およびループ面のうちの一方の面が取り付けられた第１帯部の他端が取り付けられ、
前記天板に載せられる部位の内面側他端部に、帯状をなし、一端部に面ファスナーのフック面およびループ面のうちの他方の面が取り付けられた第２帯部の他端が取り付けられていることを特徴とする請求項１から４の何れか一項に記載のテーブルクロス。
【請求項６】
前記第１帯部および／または前記第２帯部の少なくとも一部は、弾性部材からなることを特徴とする請求項５に記載のテーブルクロス。
【請求項７】
前記他の部分の少なくとも一部は、端部が開口した袋状に形成されていることを特徴とする請求項１から６の何れか一項に記載のテーブルクロス。
【考案の詳細な説明】
【技術分野】
【０００１】
本考案は、机やテーブルの天板に被せられるテーブルクロスに関する。
【背景技術】
【０００２】
従来、机やテーブルの見栄えを良くする、或いは机やテーブルが汚れるのを防止するための手段として、テーブルクロスが用いられてきた。
テーブルクロスの中には、周縁部（机やテーブル等に被せられたときに垂れ下がる部分）にポケットを備えたものも存在していた（例えば、特許文献１）。このようなテーブルクロスを食事の場で用いれば、ハンカチやティッシュペーパー等、食べる際に使用する小物を収納しておくことができるし、イベント等における受付や対面販売で用いれば、必要な道具や、来客から受け取ったお金等の貴重品を保管しておくこともできる。
【先行技術文献】
【特許文献】
【０００３】
【特許文献１】実用新案登録第３０８９３１３号公報
【考案の概要】
【考案が解決しようとする課題】
【０００４】
特許文献１に挙げたような、従来のポケット付のテーブルクロスは、ポケットがテーブルクロスの本体に縫い付けられたものであった。このため、このようなテーブルクロスのポケットをお金等の貴重品の保管に用いていると、集めたお金を他の場所へ運ぶ際、或いはお金の管理人が離席する際に、お金を一旦ポケットから取り出し、他の入れ物へ移し替える必要が生じる。このような移し替え作業は手間がかかるだけでなく、貴重品を落として紛失してしまうリスクとなり易い。
一方、携帯できる小型の金庫を机やテーブルの上に置き、そこでお金を保管するという手もあるが、金庫を用意するのに費用がかかるし、机やテーブルの上は不特定多数の人の手が容易に届いてしまうので防犯上問題がある。
【０００５】
本考案は、上記課題に鑑みてなされたもので、ポケットを備えたテーブルクロスにおいて、ポケットの中身を安全に保管でき、かつ容易に移動させることができるようにすることを目的とする。
【課題を解決するための手段】
【０００６】
上記課題を解決するため、本考案は、机やテーブルの天板に被せられるテーブルクロスであって、前記天板に被せられたときに前記天板の端から垂下する部位の少なくとも一部分が、当該一部分以外の他の部分に対し着脱可能に構成されており、前記一部分にポケットが設けられていることを特徴とする。
【０００７】
なお、上記考案において、前記一部分は、前記机やテーブルに被せた時に外側を向く外面に前記ポケットが設けられ、前記外面の一側部に第１係合部を有するとともに、前記外面の他側部に前記第１係合部と係合可能な第２被係合部を有し、前記他の部分は、前記机やテーブルに被せた時に前記机やテーブルの側を向く内面の、前記一部分が取り付けられたときに前記第１係合部と対向する箇所に、前記第１係合部と係合可能な第１被係合部を有するとともに、前記内面の、前記一部分が取り付けられたときに前記第２被係合部と対向する箇所に、前記第２被係合部と係合可能な第２係合部を有しているものとしてもよい。
また、上記考案において、前記一部分が、前記ポケットの上方であって、前記一部分の中心を前記ポケットの開口の延設方向と直交する方向に通る直線の一側方に第３係合部を有し、前記ポケットの上方であって前記直線の他側方に、前記第３係合部と係合可能な第３被係合部を有するものとしてもよい。
また、上記考案において、前記天板に載せられる部位の内面側一端部に、帯状をなし、一端部に面ファスナーのフック面およびループ面のうちの一方の面が取り付けられた第１帯部の他端が取り付けられ、前記天板に載せられる部位の内面側他端部に、帯状をなし、一端部に面ファスナーのフック面およびループ面のうちの他方の面が取り付けられた第２帯部の他端が取り付けられているものとしてもよい。
また、上記考案において、前記他の部分の少なくとも一部が、端部が開口した袋状に形成されているものとしてもよい。
【考案の効果】
【０００８】
本考案によれば、ポケットを備えたテーブルクロスにおいて、ポケットの中身を安全に保管できるだけでなく、容易に移動させることができるようになる。
【図面の簡単な説明】
【０００９】
【図１】本考案の実施形態に係るテーブルクロスの広げた状態を表側から示した平面図である。
【図２】図１のテーブルクロスから、天板の端から垂下する部位の一部分（札入れ）を取り外して広げた状態を裏側から示した平面図である。
【図３】図１のテーブルクロスを長机やテーブルに設置した状態を示す側面図である。
【図４】図１のテーブルクロスの片づけ方を示す斜視図である。
【図５】図１のテーブルクロスに追加部材（外付けポケット）を取り付けた状態を示す斜視図である。
【図６】図１のテーブルクロスにおける札入れを表側から示した平面図である。
【図７】図６の札入れを持ち運ぶ際の状態を示す斜視図である。
【図８】（ａ）は札入れにおける一の変形例を示す斜視図であり、（ｂ），（ｃ）は札入れにおける他の変形例を示す斜視図である。
【図９】図６の札入れを取り付け可能なエプロンを示す斜視図である。
【図１０】図９のエプロンに図６の札入れを取り付けた状態を示す斜視図である。
【考案を実施するための形態】
【００１０】
以下、図面を参照して、本考案の実施の形態について詳細に説明する。
【００１１】
（テーブルクロス）
まず、本考案の実施形態に係るテーブルクロス１の構成について説明する。図１は広げた状態のテーブルクロス１の、設置時に外側を向く面（以下外面）を示した平面図、図２は一部構成を取り外して広げた状態のテーブルクロス１の、設置時に長机やテーブル（以下、机Ｄ）を向く或いは接する面（以下内面）を示した平面図、図３はこのテーブルクロス１を机Ｄに設置した状態を示す側面図である。
本実施形態のテーブルクロス１は、図１，２に示したように、本体２と、バンド３と、札入れ４と、で構成されている。
【００１２】
本体２は、布やビニール等のシート状の材料で、平面視略矩形状に形成されており、図１〜３に示したように、被覆部２１と、第１垂下部２２と、第２垂下部２３と、からなる。
被覆部２１は、図３に示したように、設置時に机Ｄの天板Ｔの上に載せられる部位である。被覆部２１の、第１垂下部２２と第２垂下部２３とを結ぶ方向（以下、奥行き方向）の長さは、標準的な長机の奥行きと同程度（例えば４５ｃｍ）とするのが好ましい。
第１垂下部２２は、設置時に天板Ｔの一端（図３における右端）から垂下する部位である。第１垂下部２２の奥行き方向の幅は、標準的な長机の高さである７０ｃｍを超えない程度（例えば５５ｃｍ）とするのが好ましい。なお、第１垂下部２２および被覆部２１の、奥行き方向と直交する方向（以下幅方向）の長さに特に制限は無いが、９０ｃｍ程度、或いは１８０ｃｍ程度とするのが好ましい。
なお、図示は省略したが、第１垂下部２２の外面にポケットを設けるようにしてもよい。こうすることで、例えば、客に配布するチラシや冊子を入れておく、或いは客からのメモ等を回収するのに用いる等、客と何らかのやり取りを行うための手段として用いることができる。また、ポケットを透明なビニール等で形成することで、例えば、広告や、イベントのブース番号を示す番号札等、出し入れはしないが、表示しておく必要のあるものを収納しておく手段としても用いることができる。
第２垂下部２３は、設置時に天板Ｔの他端（図３における左端）から垂下する部位であり、図１，２に示したように、札入れ係止部２４と、第１収納部２５と、第２収納部２６と、からなる。
【００１３】
札入れ係止部２４は、第２垂下部２３の中央部をなす。札入れ係止部２４は、図１，２に示したように、幅方向に沿って帯状に延設されている。札入れ係止部２４における内面の幅方向一端部（図２における左端部）には、スナップボタンＳ１の凹部Ｓ１ａ（第１被係合部）が取り付けられている。一方、札入れ係止部２４の内面の幅方向他端部（図２における右端部）には、スナップボタンＳ１の凸部Ｓ１ｂ（第２係合部）が、札入れ係止部２４の中心を奥行き方向に通る直線Ｌ１に関して一端部側の凹部Ｓ１ａと線対称の関係となるように取り付けられている。また、凹部Ｓ１ａと凸部Ｓ１ｂの間であって直線Ｌ１よりも一端側には、帯状の面ファスナーＦ１のフック面Ｆ１ａ（第２係合部）が幅方向に沿って延設されている。一方、凹部Ｓ１ａと凸部Ｓ１ｂの間であって直線Ｌ１よりも他端側には、面ファスナーＦ１のループ面Ｆ１ｂ（第１被係合部）が直線Ｌ１に関して一端側のフック面Ｆ１ａと線対称の関係となるように取り付けられている。なお、凹部Ｓ１ａ、凸部Ｓ１ｂ、フック面Ｆ１ａおよびループ面Ｆ１ｂの札入れ係止部２４への取り付け方は、ホットボンドを用いた貼り付け、打具（ハンドプレス等を用いて布地に取り付けるもの）を用いた固定等、任意である。
【００１４】
第１収納部２５は、第２垂下部２３の幅方向一側部（図１における左側部）をなす。第１収納部２５の外面には、図１に示したように、ポケット２５ａが設けられている。ポケット２５ａのサイズは、５００ｍｌ入りのペットボトルが２本収納できる程度（例えば幅２０ｃｍ、深さ１５ｃｍ）とするのが好ましい。第１収納部２５は、生地が２枚重ねになっており、両生地の下端部および札入れ係止部２４から離れた側の端部が縫い合わされることで、両生地の間が札入れ係止部２４側に向かって開くポケット２５ｂとなっている。ポケット２５ｂのサイズは、うちわやＢ５サイズの書籍やノートが収納できる程度とするのが好ましい。
第１収納部２５を構成する外側の生地の内面であって、ポケット２５ｂの下端寄りの開口近傍には、スナップボタンＳ２の凹部Ｓ２ａが取り付けられている。一方、第１収納部２５を構成する内側の生地の外面であって、凹部Ｓ２ａと対向する箇所には、スナップボタンＳ２の凸部Ｓ２ｂ（図２参照）が取り付けられている。この凹部Ｓ２ａと凸部Ｓ２ｂとを係合させると、ポケット２５ｂの開口が狭められる。このため、側方に開いていることで、他のポケットよりも中身が落ちやすいポケット２５ｂの中身を落ちにくくすることができる。
また、第１収納部２５の外面側上端部には、Ｄカン等の係止具２５ｃが取り付けられている。この係止具２５ｃに、紐の付いた小物の紐を通しておけば、小物の盗難防止に役立つ。
また、第１収納部２５の内面側上端部には、図２に示したように、布ループ２５ｄが取り付けられている。この布ループ２５ｄに任意の金具（カラビナやＳ字フック等）を取り付ければ、第１収納部２５の内面側にも荷物をぶら下げることができる。
【００１５】
なお、テーブルクロス１を使用していないときには、図４（ａ）に示したように、第１収納部２５が手前に来るように、かつ第１収納部２５以外の部分（札入れ４は取り付けてあっても外してあっても良い）が第１収納部２５の輪郭より大きくならないように折り畳み、図４（ｂ）に示したように、ポケット２５ｂを第１収納部２５以外の部分を覆っていきながら裏返していく。すると、図４（ｃ）に示したように、第１収納部２５以外の部分が第１収納部２５に収納された状態となる。このようにすることで、広がりにくくなるので、テーブルクロス１の保管や持ち運びが容易になる。
【００１６】
第２収納部２６は、第２垂下部２３の幅方向他側部（図１における右側部）をなす。第２収納部２６の外面には、図１に示したように、複数のポケット２６ａ、２６ｂが設けられている。なお、図１には、２つのポケット２６ａ、２６ｂが幅方向に並ぶように配置されたものを示したが、数や配置は適宜変更してもよい。複数のポケットのうち一のポケット２６ａの幅は、はさみやマジックを収納できる程度（例えば６ｃｍ）とし、他のポケット２６ｂの幅は、電卓やスマートフォンを収納できる程度（例えば１２ｃｍ）とするのが好ましい。
また、第２収納部２６の外面側上端部には、ナスカン等の係止具２６ｃが取り付けられている。この係止具２６ｃには、例えば、図５に示したような、追加部材としての外付けポケット５を掛けてぶら下げることができる。このようにすれば、より多くの物を収納することができるようになる。
また、第２収納部２６の内面側上端部には、図２に示したように、布ループ２６ｄが取り付けられている。この布ループ２６ｄに任意の金具（カラビナやＳ字フック等）を取り付ければ、第１収納部２６の内面側にも荷物をぶら下げることができる。
【００１７】
バンド３は、図２に示したように、本体２の内面側に設けられている。図２には、バンド３を、被覆部２１の中央部および幅方向両端部に計３本配置した例を示したが、本数や配置は被覆部２１のサイズに応じて適宜してもよい。
各バンド３は、一対の帯部３１，３２からなる。帯部３１は、平ゴム３１ａと布テープ３１ｂを繋ぎ合わせたものとなっており、平ゴム３１ａ側の端部が、被覆部２１と第１垂下部２２との境目の中央部および両端部に縫い付けられている。布テープ３１ｂには、面ファスナーＦ２のフック面Ｆ２ａが縫い付けられている。帯部３２は、帯部３１と同様に、平ゴム３２ａと布テープ３２ｂを繋ぎ合わせたものとなっている。そして、平ゴム３２ａ側の端部が、被覆部２１と第２垂下部２３との境目における中央部および両端部に縫い付けられている。布テープ３２ｂには、面ファスナーＦ２のループ面Ｆ２ｂが縫い付けられている。
【００１８】
このように構成された各バンド３を、２本の帯部３１，３２に分割された状態とし、それぞれを天板Ｔの下に通し、図３に示したように、帯部３１のフック面Ｆ２ａと帯部３２のループ面Ｆ２ｂとを貼り合わせる。このようにすることで、テーブルクロス１が机Ｄに支持され、テーブルクロス１が風で飛ばされてしまうのを防ぐことができる。
また、本実施形態では、帯部３１，３２を繋ぐ手段として面ファスナーＦ２を用いているので、フック面Ｆ２ａとループ面Ｆ２ｂをある程度ずらして貼り合わせても帯部３１，３２を繋ぐことができる。このため、天板の奥行きが、被覆部２１の奥行き方向の長さと異なる場合であっても、フック面Ｆ２ａとループ面Ｆ２ｂの貼り合わせ方を調節することで設置が可能となる。
また、帯部３１，３２の一部は、平ゴム３１ａ，３２ａとなっている。このため、平ゴム３１ａ，３２ａがある程度伸ばされた状態で帯部３１，３２を繋ぎ合わせれば、設置時に平ゴム３１ａ，３２ａの張力によって被覆部２１が弛みなく張られ、天板Ｔとの間の摩擦力が高まることになるので、第１垂下部２２と第２垂下部２３の重量差が大きくなってもテーブルクロス１が天板Ｔ上からすべり落ちてしまうのを防ぐことができる。
なお、帯部３１，３２は、全体が布でできたもの、或いは全体が平ゴムでできたものとしてもよい。また、帯部３１と帯部３２を繋ぐのに、例えば、スナップボタンや他の金具を用いる、或いは帯部同士を結ぶ等、面ファスナーＦ２以外の手段を用いてもよい。
【００１９】
札入れ４は、テーブルクロス１における天板Ｔの端から垂下する部位の一部分であり、図１に示したように、幅方向の長さが、本体２の札入れ係止部２４の長さと等しい矩形に形成されている。
札入れ４の外面には、図６に示したように、複数のポケット４１，４２が設けられている。図６には、奥行き方向および幅方向並ぶに４つのポケット４１，４２を有したものを示したが、ポケットの数は任意である。また、ポケット４１，４２の配置は特に制限されるものではないが、図６に示したように、幅方向に隣り合うポケット４１，４２の境目を、札入れ４の中心を奥行き方向に通る直線Ｌ２に重ねる等、各ポケット４１，４２が直線Ｌ２を跨がないように配置するのが好ましい。各ポケット４１，４２の幅および深さは、一万円札（最も大型の紙幣）Ｍを折らずに収納できる程度とするのが好ましい。なお、上段のポケット４１と下段のポケット４２とで、例えば、上段のポケット４１の深さを１０ｃｍ、下段のポケット４２の深さを１２ｃｍにする等、サイズに差を付けるようにしても良い。
【００２０】
札入れ４の外面の上他端部（図６における左上端部）には、スナップボタンＳ３の凹部Ｓ３ａ（第２被係合部兼第３被係合部）が取り付けられている。一方、札入れ４の外面の上一端部（図６における右上端部）には、スナップボタンＳ３の凸部Ｓ３ｂ（第１係合部兼第３係合部）が、直線Ｌ２に関して凹部Ｓ３ａと線対称の関係となるように取り付けられている。凹部Ｓ３ａと凸部Ｓ３ｂとの距離は、札入れ係止部２４における凹部Ｓ１ａと凸部Ｓ１ｂとの距離と等しくなっている。また、凹部Ｓ３ａと凸部Ｓ３ｂの間（ポケット４１，４２の上方）であって直線Ｌ２よりも凹部Ｓ３ａ側には、面ファスナーＦ３のフック面Ｆ３ａ（第１係合部兼第３係合部）が幅方向に沿って延設されている。一方、凹部Ｓ３ａと凸部Ｓ３ｂの間であって直線Ｌ２よりも凸部Ｓ３ｂ側には、面ファスナーＦ３のループ面Ｆ３ｂ（第２被係合部兼第３被係合部）が直線Ｌ２に関してフック面Ｆ３ａと線対称の関係となるように取り付けられている。ポケット４１，４２の開口は、図１，６に示したように幅方向に延びているので、フック面Ｆ３ａとループ面Ｆ３ｂは、ポケット４１，４２の開口に沿って延設されていることになる。
【００２１】
このように構成された札入れ４の凹部Ｓ３ａ、凸部Ｓ３ｂを、札入れ係止部２４の凸部Ｓ１ｂ，凹部Ｓ１ａと係合させるとともに、ループ面Ｆ３ｂ、フック面Ｆ３ａを札入れ係止部２４のフック面Ｆ１ａ、ループ面Ｆ１ｂと貼り合わせることにより、札入れ４が本体２に取り付けられる。そして、テーブルクロス１が机Ｄに設置されると、札入れ４は、第２垂下部２３とともに天板Ｔの他端から垂下する。受付や対面販売では、来客が第１垂下部２２の側に立ち、接客する者が第２垂下部２３の側に立つ或いは座ることになる。この場合、接客する者からはポケット４１、４２に手が届きやすいが、来客側からは届きにくいので、ポケット４１，４２に収納したお金などの貴重品を安全かつ容易に保管することができる。また、札入れ４は、スナップボタンＳ１，Ｓ３と、面ファスナーＦ１，Ｆ３の２種類の係止手段によって係止されるので、何れか１種類の係止手段で係止される場合よりも外れにくくなっているが、何れか一方の係止手段のみを用いたものとしてもよい。
【００２２】
また、本体２に取り付けられた札入れ４を引っ張ると、凹部Ｓ３ａ、凸部Ｓ３ｂが札入れ係止部２４の凸部Ｓ１ｂ、凹部Ｓ１ａから外れるとともに、ループ面Ｆ３ｂ、フック面Ｆ３ａが札入れ係止部２４のフック面Ｆ１ａ、ループ面Ｆ１ｂから剥がれ、札入れ４が本体２から取り外される。すなわち、ポケット４１，４２の中身を、ポケット４１，４２から取り出すことなく持ち運び可能な状態となる。このため、持ち運びの際の移し替えの手間を軽減できるとともに、ポケットから取り出すことによる中身の紛失リスクを低減することもできる。
【００２３】
また、本体２から取り外した札入れ４を、図７に示したように、直線Ｌ２で外面が向かい合うように折り曲げると、札入れ４が内面を外側にして半分の大きさに折り畳まれる。本実施形態では、幅方向に隣り合うポケット４１，４２の境目を直線Ｌ２上に位置させているので、ポケット４１，４２の中身を折り曲げることなく持ち運ぶことができる。また、面ファスナーＦ３のフック面Ｆ３ａとループ面Ｆ３ｂは、直線Ｌ２に関して線対称、すなわち、両者が直線Ｌ２を跨がないように配置されているので、折り畳む際の邪魔にならない。また、折り畳んだ時に、向かい合う凹部Ｓ３ａと凸部Ｓ３ｂが係合するとともに、向かい合うフック面Ｆ３ａとループ面Ｆ３ｂが貼り合わされる。フック面Ｆ３ａとループ面Ｆ３ｂは、ポケット４１，４２の開口に沿って延設されているので、フック面Ｆ３ａとループ面Ｆ３ｂが貼り合わされることで、札入れ４の上端がほぼ全体的に閉塞される。このため、ポケット４１，４２の中身が外に出にくくなり、ポケット４１，４２の中身を安全に運ぶことができるようになる。
【００２４】
（変形例１）
なお、札入れの仕様は、上述したものに限られるものではない。例えば、上記実施形態では、札入れ４に奥行き方向および幅方向に並ぶ４つのポケット４１，４２を備えたものとしたが、図８（ａ）に示したように、一部のポケット４２Ａの開口をファスナー４２ａで閉塞できるようにした札入れ４Ａを代わりに用いても良い。このようにすれば、ポケットの中身をより安全に持ち運ぶことが可能になる。なお、図８（ａ）には下段の２つのポケット４２Ａにファスナー４２ａを設ける例を示したが、上段のポケット４１に設けるようにしても良い。
【００２５】
（変形例２）
また、図８（ｂ）に示したように、上記実施形態の札入れ４の外面に、一対の側部４３ａと、底部４３ｂと，前部４３ｃと、で構成された大型のポケット４３を設けた札入れ４Ｂを用いてもよい。このようにすれば、上記実施形態よりも多くの物を収納することができるし、かさ張る物も収納できるようになる。
また、札入れ４の外面と前部４３ｃの内面に紐４３ｄ，４３ｅの一端をそれぞれ取り付けておき、図８（ｃ）に示したように、両紐４３ｄ，４３ｅを所望の長さとなるように結ぶことで、ポケット４３の開き具合を調節することができる。
【００２６】
（エプロン）
次に、本実施形態に係るエプロン６の構成について説明する。図９（ａ）はエプロン６の斜視図である。
本実施形態のエプロン６は、ポケット部６１と、一対の側部６２と、帯６３と、係止部材６４と、で構成されている。
ポケット部６１は、エプロン６の中央部をなしている。このポケット部６１の水平方向の長さは、札入れ４の幅方向の長さよりもやや大きくなっている。ポケット部６１の、身に着ける者から見て離れた側の布地の中央上部には面ファスナーＦ４のフック面Ｆ４ａが取り付けられており、その下にはスナップボタンＳ４の凹部Ｓ４ａが取り付けられている。また、この布地の両上端部には、スナップボタンＳ５の凹部Ｓ５ａがそれぞれ取り付けられている。ポケット部６１の、身に着ける者から見て手前側の布地であって、離れた側の布地に取り付けられたフック面Ｆ４ａ、凹部Ｓ４ａ，Ｓ５ａと対向する箇所には、面ファスナーＦ４のループ面Ｆ４ｂ、スナップボタンＳ４，Ｓ５の凸部Ｓ４ｂ、Ｓ５ｂがそれぞれ取り付けられている。これらを貼り合わせる、或いは係合させることにより、ポケット部６１の開き具合を調節することができる。
ポケット部６１の上両端部には、一対の係止部６１ａがそれぞれ設けられている。両係止部６１ａの中心同士の距離は、札入れ４に設けられたスナップボタンＳ３の凹部Ｓ３ａと凸部Ｓ３ｂの距離と等しくなるよう配置されている。また、係止部６１ａは、係止部材６４を縦方向に通すことができるように構成されている。
【００２７】
側部６２は、ポケット部６１の両側に設けられている。側部のポケット部６１寄りの側端部（例えば幅１０ｃｍ程度の部分）は、ポケット部６１の両側端部と、ポケット部６１の内面側で重なっている。すなわち、ポケット部６１と側部６２との間はスリット６ａになっている。こうすることで身に着けた時の見栄えを損なうことなく、ポケット部６１と側部６２がつながっている場合よりも身動きがとり易くなる。両側部６２の上部には、ベルトループ６２ａがそれぞれ設けられている。
【００２８】
帯６３は、ポケット部６１および両側部６２の上端に縫い付けられている。
係止部材６４は、細い帯状の部材で、図９（ｂ）に示したように、一方の面にスナップボタンＳ６，Ｓ７の凹部Ｓ６ａ，Ｓ７ａと凸部Ｓ６ｂ，Ｓ７ｂが２つずつ交互に並ぶように取り付けられている。この係止部材６４を中心で折り曲げると、各凹部Ｓ６ａ，Ｓ７ａが各凸部Ｓ６ｂ，Ｓ７ｂと対向することになる。図９（ａ）に示した係止部材６４は、各係止部６１ａに通され、各凹部Ｓ６ａ，Ｓ７ａと各凸部Ｓ６ｂ，Ｓ７ｂが係合した状態となっている。
【００２９】
この係止部材６４の凹部Ｓ６ａを札入れ４の凸部Ｓ３ｂに係合させ、一端側の係止部６１ａに通し、係止部材６４を折り曲げて凹部Ｓ７ａと凸部Ｓ７ｂを係合させる。そして、もう一つの係止部材６４の凸部Ｓ６ｂを札入れ４の凹部Ｓ３ａに係合させ、他端側の係止部６１ａに通し、係止部材６４を折り曲げて凹部Ｓ７ａと凸部Ｓ７ｂを係合させる。こうすることで、札入れ４がエプロン６に取り付けられる。このとき、札入れ４は、ポケット部６１の前に出しておくこともできるし、図１０に示したように、ポケット部６１の中に収納しておくこともできる。札入れ４をこのようなエプロン６に取り付け、このエプロン６を腰に巻いて移動することで、札入れ４をより安全に持ち運ぶことができる。また、移動しながら販売等を行う際にも便利である。また、係止部材６４はポケット部６１から取り外し可能になっているので、札入れ４を裏返した状態でエプロン６に取り付け、ポケット部６１に収納することもできる。こうすれば、札入れ４のポケット４１，４２が外から見えない状態となるので、ポケットの中身をより安全に持ち運ぶことができる。
【００３０】
以上、本考案を実施形態に基づいて具体的に説明してきたが、本考案は上記実施形態に限定されるものではなく、その要旨を逸脱しない範囲で変更してもよい。
例えば、上記実施形態では、テーブルクロス１の平面視形状を略矩形としたが、正方形、円形、楕円形、多角形等、設置する机Ｄの天板の平面形状に合わせて任意の形状に形成すればよい。
また、上記実施形態では、ポケットの寸法の目安を示したが、収納する道具の違いに応じて適宜変更してもよい。
また、スナップボタンの凹部と凸部の配置は逆にしてもよい。
また、面ファスナーのフック面とループ面の配置を逆にしてもよいし、両者の区別がない面ファスナーを用いてもよい。
また、上記実施形態では、札入れ４を第２垂下部２３の中央部に取り付けるようにしたが、端部（第１，第２収納部２５，２６のある箇所）に取り付けるようにしてもよいし、第２垂下部２３全体を着脱可能に構成してもよい。
また、第２垂下部２３の何処かに、ハトメ穴を形成するようにしても良い。そうすれば、カラビナを通したりＳ字フックを掛けたりすることで、そこに袋等をぶら下げることができるようになる。
また、上記実施形態では、両帯部３１，３２に平ゴムを用いたが、一方だけに用いてもよい。
【符号の説明】
【００３１】
１  テーブルクロス
２  本体
２１    被覆部
２２，２３      垂下部
２４    札入れ係止部（他の部分）
２５，２６      収納部
２５ａ，２５ｂ，２６ａ，２６ｂ  ポケット
２５ｃ，２６ｃ  係止具
２５ｄ，２６ｄ  布ループ
３  バンド
３１，３２      帯部
３１ａ，３２ａ  平ゴム
３１ｂ，３２ｂ  布テープ
４      札入れ（一部分）
４１，４１Ａ，４２，４３  ポケット
４２ａ  ファスナー
４３ａ  側部
４３ｂ  底部
４３ｃ  前部
４３ｄ，４３ｅ  紐
５  外付けポケット
６  エプロン
６ａ  スリット
６１    ポケット部
６１ａ  係止部
６２  側部
６３    帯
６４    係止部材
Ｆ１〜Ｆ４  面ファスナー
Ｆ１ａ〜Ｆ４ａ  フック面
Ｆ１ｂ〜Ｆ４ｂ  ループ面
Ｓ１〜Ｓ７       スナップボタン
Ｓ１ａ〜Ｓ７ａ  凹部
Ｓ１ｂ〜Ｓ７ｂ  凸部
Ｄ      机やテーブル
Ｔ      天板
【図１】
0003205334.tif 000003
【図２】
0003205334.tif 000004
【図３】
0003205334.tif 000005
【図４】
0003205334.tif 000006
【図５】
0003205334.tif 000007
【図６】
0003205334.tif 000008
【図７】
0003205334.tif 000009
【図８】
0003205334.tif 000010
【図９】
0003205334.tif 000011
【図１０】
0003205334.tif 000012